(57)【特許請求の範囲】
【請求項１】
充放電可能な複数のセルから構成される組電池の異常検出装置において、
所定数のセルごとに設けられ、過充電を検出するために設定された期間（以下、過充電検出期間と呼ぶ）中は対応する前記所定数のセルの過充電異常を検出し、過放電を検出するために設定された期間（以下、過放電検出期間と呼ぶ）中は対応する前記所定数のセルの過放電異常を検出する異常検出手段を備え、
前記異常検出手段は、前記過充電検出期間中に前記対応する所定数のセルのいずれかに過充電異常を検出すると第１の信号を出力し、前記過充電異常を検出しない時には第２の信号を出力し、また、前記過放電検出期間中に前記対応する所定数のセルのいずれかに過放電異常を検出すると前記第２の信号を出力し、前記過放電異常を検出しない時には前記第１の信号を出力するものであって、前記過充電検出期間中の出力信号と前記過放電検出期間中の出力信号とを時分割して交互に出力することを特徴とする組電池の異常検出装置。
【請求項２】
請求項１に記載の組電池の異常検出装置において、
前記異常検出手段は、前記対応する所定数のセルの各端子電圧と基準電圧とを比較する電圧比較手段を備え、前記過充電検出期間中は前記基準電圧として過充電判定電圧を用いて、いずれかのセルの端子電圧が前記基準電圧より高いと前記第１の信号を出力し、前記過放電検出期間中は前記基準電圧として過放電判定電圧を用いて、いずれかのセルの端子電圧が前記基準電圧より低いと前記第２の信号を出力することを特徴とする組電池の異常検出装置。
【請求項３】
請求項１または２に記載の組電池の異常検出装置において、
クロック信号を発生するクロック発生手段をさらに備え、
前記異常検出手段は、前記クロック発生手段により発生されるクロック信号に基づいて、前記過充電異常検出と前記過放電異常検出の切り換えを行うことを特徴とする組電池の異常検出装置。
【請求項４】
請求項１〜３のいずれかに記載の組電池の異常検出装置において、
前記異常検出手段が前記過充電異常検出時に信号を出力する期間と、前記過放電異常検出時に信号を出力する期間とを異なる長さとすることを特徴とする組電池の異常検出装置。
【請求項５】
請求項１〜４のいずれかに記載の組電池の異常検出装置において、
前記異常検出手段により前記対応する所定数のセルが過充電状態ではないと判定された時に信号を出力する時と、前記対応する所定数のセルが過放電状態ではないと判定された時に信号を出力する時とにおいて、前記組電池の異常検出装置内の消費電流が異なる場合には、消費電流が大きい方の信号出力期間を消費電流が小さい方の信号出力期間より短くすることを特徴とする組電池の異常検出装置。
【発明の詳細な説明】
【０００１】
【発明の属する技術分野】
本発明は、複数のセルから構成される組電池の異常を検出する装置に関する。
【０００２】
【従来の技術】
組電池を構成する各セルの電圧を検出し、検出したセル電圧と上限電圧とを比較することによりセルの過充電状態を検出し、また、検出したセル電圧と下限電圧とを比較することによりセルの過放電状態を検出する組電池の異常判定装置が知られている（特許文献１参照）。
【０００３】
【特許文献１】
特開２００１−２５１７３号公報
【０００４】
【発明が解決しようとする課題】
しかしながら、従来の組電池の異常判定装置では、過充電検出回路の出力と過放電検出回路の出力とをアンド回路で論理演算を行ってから出力していたので、過充電異常と過放電異常との識別ができないという問題があった。
【０００５】
本発明は、セルの過充電状態と過放電状態とを識別して検出できる組電池の異常検出装置を提供するものである。
【０００６】
【課題を解決するための手段】
本発明による組電池の異常検出装置は、所定数のセルごとに設けられて、過充電検出期間中は対応する所定数のセルの過充電異常を検出し、過放電検出期間中は過放電異常を検出し、異常検出結果に基づいて２値化した信号を出力する異常検出手段を備える。異常検出手段は、過充電検出期間中に対応する所定数のセルの過充電異常を検出すると第１の信号を出力し、過充電異常を検出しない時には第２の信号を出力し、また、過放電検出期間中に対応する所定数のセルの過放電異常を検出すると第２の信号を出力し、過放電異常を検出しない時には第１の信号を出力するものであって、過充電検出期間中の出力信号と過放電検出期間中の出力信号とを時分割して交互に出力することを特徴とする。
【０００７】
【発明の効果】
本発明による組電池の異常検出装置によれば、セルの正常時における過充電検出期間中の出力信号と過放電検出期間中の出力信号とを異なる信号レベルの信号として、これらの信号を時分割して交互に出力するので、セルに発生する過充電状態と過放電状態とを識別して検出することができる。
【０００８】
【発明の実施の形態】
図１は、本発明による組電池の異常検出装置の一実施の形態の構成を示す図である。一実施の形態における組電池の異常検出装置１００は、電流バイパス回路ａ1〜ａnと、異常検出回路ｂ1〜ｂnと、オア回路３と、アンド回路４と、スイッチ５と、クロック発生回路６と、ローパスフィルタ７とを備える。
【０００９】
組電池１は、充放電可能なｎ個のセルｓ１〜ｓnを直列に接続して構成されており、例えば、電気自動車の駆動源として用いられる。電流バイパス回路ａ1〜ａnおよび異常検出回路ｂ1〜ｂnは、各セルごとに設けられている。
【００１０】
電流バイパス回路ａ1〜ａnは、対応するセルの端子電圧が第１の所定電圧Ｖ11より上昇して満充電に近い状態になったことを検出して、対応するセルｓ1〜ｓnに流れる電流の一部をバイパスする回路である。すなわち、各セルによりＤＯＤ（放電深度）が異なるので、満充電に近い状態まで充電されたセルに接続された電流バイパス回路の電流バイパス機能を作動させて、セルに流れる充電電流を低下させるとともに、他のセルの充電を継続して行うことにより、各セル間の容量バラツキを抑制することができる。電流バイパス回路の詳細な構成については、図２を用いて後述する。
【００１１】
異常検出回路ｂ1〜ｂnは、充電時に、対応するセルの端子電圧が第２の所定電圧Ｖ12より上昇して過充電になったことを検出するとともに、放電時に、対応するセルの端子電圧が第３の所定電圧Ｖ13より下降して過放電になったことを検出する。すなわち、異常検出回路ｂ1〜ｂnは、過充電異常検出回路として機能するとともに、過放電異常検出回路としても機能する。異常検出回路ｂ1〜ｂnによる過充電異常検出結果および過放電異常検出結果は、オア回路３およびアンド回路４に入力される。
【００１２】
異常検出回路ｂ1〜ｂnから出力される異常検出信号の信号レベルは、対応するセルの過充電状態を検出した場合と、過放電状態を検出した場合とで異なる。異常検出回路ｂ1〜ｂnが過充電異常検出回路として動作している時には、対応するセルが正常な時にＬ（ロー）レベルの信号を出力し、過充電状態を検出した時にＨ（ハイ）レベルの信号を出力する。また、異常検出回路ｂ1〜ｂnが過放電異常検出回路として動作している時には、対応するセルが正常な時にＨレベルの信号を出力し、過放電状態を検出した時にＬレベルの信号を出力する。異常検出回路ｂ1〜ｂnが過充電異常検出回路として機能するか過放電異常検出回路として機能するかは、クロック発生回路６から入力されるクロック信号に基づいて決まる。
【００１３】
オア回路３は、全ての異常検出回路ｂ1〜ｂnから入力される異常検出結果の論理和演算を行う。アンド回路４は、全ての異常検出回路ｂ1〜ｂnから入力される異常検出結果の論理積演算を行う。オア回路３で行われる論理和演算の結果、および、アンド回路４で行われる論理積演算の結果は、スイッチ５に入力される。スイッチ５は、クロック発生回路６から入力されるクロック信号に基づいて、オア回路３から出力される信号と、アンド回路４から出力される信号とのうちのいずれか一方の信号を選択して、ローパスフィルタ７に出力する。
【００１４】
ここで、各異常検出回路ｂ1〜ｂnからオア回路３またはアンド回路４に入力される信号間には、信号遅延量に差が生じることから、結果的にオア回路３やアンド回路４の出力、または、スイッチ５の出力にチャタリングが生じることがある。すなわち、スイッチ５を介して出力される信号において、Ｈレベルの信号とＬレベルの信号とが極短期間で切り替わる現象が生じる。従って、スイッチ５を介して出力される信号を充放電制御回路２に入力する前に、ローパスフィルタ７を通すことにより、チャタリングが除去された信号を充放電制御回路２に入力することができる。
【００１５】
クロック発生回路６は、ＨレベルとＬレベルの２値化された信号を交互に出力するクロック信号を発生させる。なお、信号がＨレベルの状態とは電流が流れている状態であり、Ｌレベルの状態とは、電流が流れていない状態である。クロック発生回路６で発生されたクロック信号は、全ての異常検出回路ｂ1〜ｂnとスイッチ５とに入力される。クロック信号がＬレベルの場合には、異常検出回路ｂ1〜ｂnは、過充電異常検出回路として動作するとともに、スイッチ５は、オア回路３から出力される信号を選択する。一方、クロック信号がＨレベルの場合には、異常検出回路ｂ1〜ｂnは、過放電異常検出回路として動作するとともに、スイッチ５は、アンド回路４から出力される信号を選択する。
【００１６】
上述したように、異常検出回路ｂ1〜ｂnが過充電異常検出回路として動作している時には、対応するセルが正常な時にＬレベルの信号を出力し、過充電状態を検出した時にはＨレベルの信号を出力する。従って、全てのセルｓ1〜ｓnが正常な時には、オア回路３およびスイッチ５を介して、Ｌレベルの信号が充放電制御回路２に入力される。一方、いずれか１つのセルが過充電状態である時には、オア回路３の出力信号がＨレベルとなるので、Ｈレベルの信号が充放電制御回路２に入力される。
【００１７】
一方、異常検出回路ｂ1〜ｂnが過放電異常検出回路として動作している時には、対応するセルが正常な時にＨレベルの信号を出力し、過放電状態を検出した時にはＬレベルの信号を出力する。従って、全てのセルｓ1〜ｓnが正常な時には、アンド回路４およびスイッチ５を介して、Ｈレベルの信号が充放電制御回路２に入力される。一方、いずれか１つのセルが過放電状態である時には、アンド回路４の出力信号がＬレベルとなるので、Ｌレベルの信号が充放電制御回路２に入力される。
【００１８】
図２は、セルｓ1と並列に接続される電流バイパス回路ａ1および異常検出回路ｂ1の詳細な構成を示す図である。電流バイパス回路ａ1は、コンパレータ（電圧比較器）Ｃa11と、抵抗Ｒa11，Ｒa12，Ｒa13と、Ｎ型ＭＯＳトランジスタＱa11と、インバータＩＮＶa11とを備える。コンパレータＣa11のマイナス（−）端子には、対応するセルｓ1の端子（正極）電圧Ｖs1が印加され、プラス（＋）端子には電源電圧Ｖcc1を抵抗Ｒa12と抵抗Ｒa13とで分割した電圧Ｖ11（＝Ｖcc1・Ｒa13／（Ｒa12＋Ｒa13））が印加される。コンパレータＣa11の出力端子は、インバータＩＮＶa11を介してＭＯＳトランジスタＱa11のゲート端子と接続されている。ＭＯＳトランジスタＱa11のソース端子はセルｓ1の負極と接続され、ドレイン端子は抵抗Ｒa11を介してセルｓ1の正極と接続されている。
【００１９】
なお、コンパレータＣa11は、−端子に印加される端子電圧Ｖs1が＋端子に印加される基準となる第１の所定電圧Ｖ11よりも高い場合に、Ｌレベルの信号を出力する。このとき、ＭＯＳトランジスタＱa11のゲート端子には、インバータＩＮＶa11を介してＨレベルの信号が入力（Ｈレベルの電圧が印加）されるので、ＭＯＳトランジスタＱa11がオンして電流バイパス回路ａ1の電流バイパス機能が作動する。すなわち、第１の所定電圧Ｖ11は、セルｓ1に流れる充電電流をバイパスさせるためのしきい値電圧であり、予め実験等により求めておく必要がある。
【００２０】
異常検出回路ｂ1は、コンパレータＣb11と、抵抗Ｒb11，Ｒb12，Ｒb13と、Ｎ型ＭＯＳトランジスタＱb11と、インバータＩＮＶb11とを備える。コンパレータＣb11のマイナス（−）端子には、対応するセルｓ1の端子（正極）電圧Ｖs1が印加される。一方、プラス（＋）端子に印加される電圧は、抵抗Ｒb13と並列に接続されているＮ型ＭＯＳトランジスタＱb11のオン／オフの状態により異なる。ＭＯＳトランジスタＱb11がオフの時には、電源電圧Ｖcc1を抵抗Ｒb11と、抵抗Ｒb12，Ｒb13の合成抵抗（Ｒb12＋Ｒb13）とで分割した電圧Ｖ12（＝Ｖcc1・(Ｒb12＋Ｒb13)／（Ｒb11＋Ｒb12＋Ｒb13））が印加される。一方、ＭＯＳトランジスタＱb11がオンの時には、電源電圧Ｖcc1を抵抗Ｒb11と抵抗Ｒb12とで分割した電圧Ｖ13（＝Ｖcc1・Ｒb12／（Ｒb11＋Ｒb12））が印加される。
【００２１】
コンパレータＣb11の出力端子は、インバータＩＮＶb11を介して、上述したオア回路３およびアンド回路４と接続されている。すなわち、インバータＩＮＶb11を介して出力される信号が異常検出回路ｂ1の出力となる。
【００２２】
ＭＯＳトランジスタＱb11のソース端子はセルｓ1の負極と接続され、ドレイン端子は抵抗Ｒb12と抵抗Ｒb13との接続点と接続されている。ＭＯＳトランジスタＱb11のゲート端子には、クロック発生回路６からクロック信号が入力される。クロック信号がＬレベルの時には、ＭＯＳトランジスタＱb11はオフするので、コンパレータＣb11の＋端子には電圧Ｖ12が印加される。一方、クロック信号がＨレベルの時には、ＭＯＳトランジスタＱb11はオンするので、コンパレータＣb11の＋端子には電圧Ｖ13が印加される。これにより、上述したように、異常検出回路ｂ1〜ｂnは、クロック信号がＬレベルの時には過充電異常検出回路として動作し、クロック信号がＨレベルの時には過放電異常検出回路として動作する。すなわち、電圧Ｖ12は、対応するセルの過充電状態を検出するための過充電判定電圧であり、電圧Ｖ13は、対応するセルの過放電状態を検出するための過放電判定電圧である。
【００２３】
なお、第１の所定電圧Ｖ11、第２の所定電圧Ｖ12、第３の所定電圧Ｖ13の間には、Ｖ12＞Ｖ11＞Ｖ13の関係が成り立つ。各所定電圧Ｖ11〜Ｖ13の値を図３にまとめておく。
【００２４】
以下では、セルｓ1の端子電圧Ｖs1の大きさで場合分けをすることにより、電流バイパス回路ａ1および異常検出回路ｂ1の動作について説明する。
【００２５】
《Ｖs1＜Ｖ13の場合》
この場合、Ｖs1＜Ｖ13＜Ｖ12の関係が成り立つので、クロック信号の信号レベルに関わらず、コンパレータＣb11の出力信号はＨレベルとなる。従って、インバータＩＮＶb11を介して出力される異常検出回路ｂ1の出力信号は、常にＬレベルとなる。このＬレベルの出力信号は、クロック信号がＬレベルで異常検出回路ｂ1が過充電異常検出回路として動作している時には正常信号を意味し、クロック信号がＨレベルで異常検出回路ｂ1が過放電異常検出回路として動作している時には異常信号を出力していることを示している。なお、この場合には、Ｖs1＜Ｖ11の関係が成り立つので、電流バイパス回路ａ1の電流バイパス機能は作動していない。
【００２６】
《Ｖ13＜Ｖs1＜Ｖ11(＜Ｖ12)の場合》
この場合、クロック信号がＬレベルの時にはコンパレータＣb11の＋端子に電圧Ｖ12が印加されるので、インバータＩＮＶb11を介して出力される異常検出回路ｂ1の出力信号はＬレベルとなる。一方、クロック信号がＨレベルの時には、コンパレータＣb11の＋端子に電圧Ｖ13が印加されるので、インバータＩＮＶb11を介して出力される異常検出回路ｂ1の出力信号はＨレベルとなる。この場合の異常検出回路ｂ1から出力される信号は、異常検出回路ｂ1が過充電異常検出回路として動作している時、および、過放電異常検出回路として動作している時のいずれにおいても、正常信号を出力していることを示している。なお、この場合には、Ｖs1＜Ｖ11の関係が成り立つので、電流バイパス回路ａ1の電流バイパス機能は作動していない。
【００２７】
《Ｖ11＜Ｖs1＜Ｖ12の場合》
この場合、上述したＶ13＜Ｖs1＜Ｖ12の関係は変わらないので、異常検出回路ｂ1から出力される信号は変わらない。すなわち、クロック信号がＬレベルの時には異常検出回路ｂ1の出力信号はＬレベルであり、クロック信号がＨレベルの時には異常検出回路ｂ1の出力信号はＨレベルである。ただし、Ｖ11＜Ｖs1の関係が成り立っていることから、コンパレータＣa11の出力はＬレベルとなり、ＭＯＳトランジスタＱa11のゲート端子には、インバータＩＮＶa11を介して、Ｈレベルの電圧が印加される。これにより、ＭＯＳトランジスタＱa11がオンとなるので、抵抗Ｒa11およびＭＯＳトランジスタＱa11を介してバイパス電流が流れる。すなわち、電流バイパス回路ａ1の電流バイパス機能が作動する。
【００２８】
《Ｖ12＜Ｖs1の場合》
この場合、Ｖ13＜Ｖ12＜Ｖs1の関係が成り立つので、クロック信号の信号レベルに関わらず、コンパレータＣb11の出力信号はＬレベルとなる。従って、インバータＩＮＶb11を介して出力される異常検出回路ｂ1の出力信号は、常にＨレベルとなる。このＨレベルの出力信号は、クロック信号がＬレベルで異常検出回路ｂ1が過充電異常検出回路として動作している時には異常信号を意味し、クロック信号がＨレベルで異常検出回路ｂ1が過放電異常検出回路として動作している時には正常信号を出力していることを示している。なお、この場合にもＶ11＜Ｖs1の関係が成り立っているので、電流バイパス回路ａ1の電流バイパス機能が作動している。
【００２９】
充放電制御回路２に入力される信号の信号レベルを図４（Ａ）〜図４（Ｄ）にまとめておく。図４（Ａ）は、クロック信号の信号レベルを示す図であり、図４（Ｂ）〜図４（Ｄ）は、セルの状態に応じて充放電制御回路２に入力される信号の信号レベルを示す図である。図４（Ｂ）は、全てのセルｓ1〜ｓnが正常である場合、図４（Ｃ）は、少なくとも１つのセルが過充電状態である場合、図４（Ｄ）は、少なくとも１つのセルが過放電状態である場合である。
【００３０】
上述したように、異常検出回路ｂ1〜ｂnは、クロック信号がＬレベルの時は過充電異常検出回路として動作し、クロック信号がＨレベルの時は過放電異常検出回路として動作する。この場合、全てのセルｓ1〜ｓnが正常であれば、図４（Ｂ）に示すように、クロック信号の信号レベルに応じて、異常検出回路ｂ1〜ｂnからはＨレベルの信号とＬレベルの信号とが交互に出力され、充放電制御回路２にもＨレベルの信号とＬレベルの信号とが交互に入力される。
【００３１】
いずれか１つのセルが過充電状態である場合には、図４（Ｃ）に示すように、クロック信号の信号レベルに関わらず、Ｈレベルの信号が充放電制御回路２に入力される。また、いずれか１つのセルが過放電状態である場合には、図４（Ｄ）に示すように、クロック信号の信号レベルに関わらず、Ｌレベルの信号が充放電制御回路２に入力される。
【００３２】
従って、充放電制御回路２は、スイッチ５を介して入力される信号の信号レベルに基づいて、全てのセルが正常であるか、いずれかのセルに異常が発生しているかを検出することができるとともに、セルの異常が過充電状態による異常か、過放電状態による異常かを識別することができる。
【００３３】
このように、一実施の形態における組電池の異常検出装置は、過充電検出期間中は対応するセルの過充電異常を検出し、過放電検出期間中は対応するセルの過放電異常を検出する異常検出回路ｂ1〜ｂnを備える。この異常検出回路ｂ1〜ｂnは、対応するセルの過充電状態を検出すると第１の信号（Ｈレベル）を出力し、過充電状態を検出しない時には第２の信号（Ｌレベル）を出力し、また、対応するセルの過放電状態を検出すると第２の信号（Ｌレベル）を出力し、過放電状態を検出しない時には第１の信号（Ｈレベル）を出力する。また、異常検出回路ｂ1〜ｂnは、過充電検出期間中の出力信号と過放電検出期間中の出力信号とを時分割して交互に出力する。これにより、セルの過充電状態と過放電状態とを識別して検出することができる。
【００３４】
この場合、異常検出回路ｂ1〜ｂnに対応するセルｓ1〜ｓnが正常であれば、Ｈレベルの信号とＬレベルの信号とが交互に出力されるので、異常検出回路ｂ1〜ｂnに地絡故障が発生した場合には、Ｌレベルの信号が出力され続けることになる。従って、異常検出回路ｂ1〜ｂnに地絡故障が発生した場合にも、充放電制御回路２にて異常を検知することができる。
【００３５】
従来の組電池の異常判定装置では、セルの過充電状態を検出する過充電検出回路と、セルの過放電状態を検出する過放電検出回路との２つの異常検出回路を設ける必要があった。しかし、一実施の形態における組電池の異常検出装置では、異常検出回路ｂ1〜ｂnがセルの端子電圧と基準電圧とを比較するコンパレータＣb11を備え、基準電圧として、過充電検出時には過充電判定電圧を用い、過放電検出時には過放電判定電圧を用いるので、１つの異常検出回路にて対応するセルの過充電異常と過放電異常とを検出することができる。従って、組電池の異常検出装置を構成する部品数を削減することができる。
【００３６】
また、一実施の形態における組電池の異常検出装置では、クロック信号を発生するクロック発生回路６を備え、異常検出回路ｂ1〜ｂnの過充電異常検出と過放電異常検出とをクロック信号（内部クロック）に基づいて切り換えるようにしたので、切り換えを行うための外部からの信号線（トリガ信号用の線）が不要となる。
【００３７】
本発明は、上述した一実施の形態に限定されることはない。例えば、クロック発生回路６から出力されるクロック信号は、図４（Ａ）に示すように、Ｈレベルの信号を出力する期間とＬレベルの信号を出力する期間とをほぼ同じ長さとしたが、違う長さとすることもできる。この場合には、過充電状態となるセルと過放電状態となるセルが同時に発生しても、セルの過充電状態および過放電状態を検出することができる。すなわち、過充電状態となるセルと過放電状態となるセルが同時に発生した場合には、図４（Ｂ）に示す信号を反転させた信号、すなわち、過充電検出時のＨレベルの信号と過放電検出時のＬレベルの信号とが交互に充放電制御回路２に入力される。この場合、クロック信号のＨレベルの出力期間とＬレベルの出力期間とが異なる長さであることに基づいて、過充電状態と過放電状態とを検出することができる。
【００３８】
上述した一実施の形態における組電池の異常検出装置では、全てのセルｓ1〜ｓnが正常な場合には、セルの過放電検出時の出力信号がＨレベルとなり、過充電検出時の出力信号がＬレベルとなるようにした。従って、異常検出回路ｂ1〜ｂnの過充電検出期間を短くなるようにすれば、組電池の異常検出装置全体での消費電流を低減することができる。すなわち、クロック発生回路６から出力するクロック信号のうち、Ｈレベルの期間をＬレベルの期間に比べて短くすればよい。
【００３９】
また、上述した一実施の形態における組電池の異常検出装置では、全てのセルｓ1〜ｓnが正常な場合に、セルの過放電検出時の出力信号をＨレベルとし、過充電検出時の出力信号がＬレベルとなるようにしたが、これらの信号レベルをそれぞれ逆としてもよい。
【００４０】
異常検出回路ｂ1〜ｂnは、組電池１を構成する各セルｓ1〜ｓnごとに設けられて対応するセルｓ1〜ｓnの異常を検出したが、所定数のセルごとに設けて、対応する所定数のセルの異常を検出する構成としてもよい。また、異常検出回路ｂ1〜ｂnに含まれるコンパレータＣb11や電流バイパス回路ａ1〜ａnに含まれるコンパレータＣa11のおいて、＋端子と出力端子との間に抵抗を挿入して、＋端子に印加される基準電圧にヒステリシスを持たせることもできる。
【００４１】
特許請求の範囲の構成要素と一実施の形態の構成要素との対応関係は次の通りである。すなわち、異常検出回路ｂ1〜ｂnが異常検出手段を、コンパレータＣb11が電圧比較手段を、クロック発生回路６がクロック発生手段をそれぞれ構成する。なお、本発明の特徴的な機能を損なわない限り、各構成要素は上記構成に限定されるものではない。
【図面の簡単な説明】
【図１】本発明による組電池の異常検出装置の一実施の形態の構成を示す図
【図２】セルｓ1と並列に接続される電流バイパス回路ａ1および異常検出回路ｂ1の詳細な構成を示す図
【図３】電流バイパス回路で用いられる判定電圧Ｖ11、異常検出回路で用いられる判定電圧Ｖ12，Ｖ13についてまとめた図
【図４】図４（Ａ）はクロック信号の信号レベルを示す図、図４（Ｂ）〜図４（Ｄ）は、充放電制御回路に入力される信号の信号レベルを示す図であり、図４（Ｂ）は全てのセルが正常な場合、図４（Ｃ）はいずれか１つのセルが過充電状態である場合、図４（Ｄ）はいずれか１つのセルが過放電状態である場合である。
【符号の説明】
１…組電池、２…充放電制御回路、３…オア回路、４…アンド回路、５…スイッチ、６…クロック発生回路、７…ローパスフィルタ、ａ1〜ａn…電流バイパス回路、ｂ1〜ｂn…異常検出回路、ｓ1〜ｓn…セル
【図１】
0003705274.tif 000002
【図２】
0003705274.tif 000003
【図３】
0003705274.tif 000004
【図４】
0003705274.tif 000005